(57)【要約】【課題】洗浄ポンプから吐出される洗浄水を食器類に向けて噴射して食器類を洗浄する食器洗い機において、洗浄槽内の空いている空間を有効活用できる上棚を簡単な構成で移動可能に支持できるようにし、より多くの食器類を収容可能として使い勝手を向上する。【解決手段】食器洗い機本体１９内に前方に開口部を有する洗浄槽１７を設け、この洗浄槽１７内に食器類９を収容する食器かご２０を配置する。食器かご２０は、かご本体２１と上棚２２とで構成し、上棚２２は左右側面に凸部２４を有する摺動用支持部材２３を取り付け、洗浄槽１７の側面に一体に設けた２本の平行な凸部２５より形成した溝部２６に摺動用支持部材２３の凸部２４を嵌合し、前後に移動可能に構成する。【選択図】  図１
2004321283.tif 000002
【特許請求の範囲】
【請求項１】
食器洗い機本体内に設け前方に開口部を有する洗浄槽と、前記洗浄槽内に配置し食器類を収容する食器かごとを備え、前記食器かごは、かご本体と上棚とで構成し、前記上棚は左右側面に凸部を有する摺動用支持部材を取り付け、前記洗浄槽の側面に一体に設けた２本の平行な凸部より形成した溝部に、前記摺動用支持部材の凸部を嵌合し、前後に移動可能に構成した食器洗い機。
【請求項２】
上棚は、左右側面に取り付けた摺動用支持部材の一部が、洗浄槽の天面奥部に設けた第１の凸部と、前記洗浄槽の天面前縁付近に設けた第２の凸部に当接する範囲にて、移動可能に構成した請求項１記載の食器洗い機。
【請求項３】
上棚は、前端部を持ち上げることにより取り外し可能となるよう摺動用支持部材を形成した請求項１または２記載の食器洗い機。
【請求項４】
摺動用支持部材は、洗浄槽に嵌合する凸部と前記洗浄槽側面の溝部との掛かり代を、洗浄槽の手前よりも奥側を大きく形成し、上棚を前方へ移動させたときに、前記掛かり代が大きい部分が前記洗浄槽の前縁より前に出ないよう構成した請求項２または３記載の食器洗い機。
【請求項５】
摺動用支持部材は、洗浄槽に嵌合する凸部の上面前縁に突起を有し、前記凸部と前記突起を合わせた高さを嵌合する前記洗浄槽の側面の溝幅よりも大きく形成した請求項１〜４のいずれか１項に記載の食器洗い機。
【発明の詳細な説明】
【０００１】
【発明の属する技術分野】
本発明は、洗浄ポンプから吐出される洗浄水を食器類に向けて噴射して食器類を洗浄する食器洗い機に関するものである。
【０００２】
【従来の技術】
従来、この種の食器洗い機は図７に示すように構成していた。以下、その構成について説明する。
【０００３】
図に示すように、食器洗い機本体１は、内部に洗浄槽２を設けており、この洗浄槽２内へ給水弁３により水または湯を供給するようにしている。洗浄槽２の底部に排水孔４を設け、この排水孔４の他側部に連通したポンプ室にモータ５によって駆動される洗浄ポンプ６を取り付け、この洗浄ポンプ６により洗浄水を洗浄槽２の内部に循環するよう構成している。
【０００４】
すなわち、この循環は、洗浄水が排水孔４から洗浄ポンプ６に吸いこまれ、洗浄ポンプ６より洗浄槽２の内底部に設けた洗浄ノズル７に供給され、この洗浄ノズル７から噴射され、食器を洗浄した後、再び排水孔４に戻るという経路で行われる。
【０００５】
洗浄ノズル７と洗浄槽２の底部との間には、洗浄水加熱用のヒータ８を装備している。また、洗浄ノズル７の上方には、食器類９を整然と配置でき、洗浄水を効果的に食器類９に噴射するように構成した食器かご１０を設置して効率的に洗浄を行っている。食器かご１０には複数の移動用ローラ１１を配設して、移動可能にしている。
【０００６】
また、洗浄槽２は前方に開口しており、その前面部には、下端側に枢支軸１２を設け、前方に開閉自在な蓋１３を取り付けている。食器かご１０は移動用ローラ１１により開放した蓋１３の上部を食器洗い機本体１の前面外部へ引き出し可能になっている。
【０００７】
また、排水ポンプ１４は、排水ホース１５を通して洗浄水を機外に排出するものである（例えば、特許文献１参照）。
【０００８】
【特許文献１】
特開２００３−５１９号公報
【０００９】
【発明が解決しようとする課題】
日本の狭い台所において食器洗い機は、より小さな食器洗い機本体外形寸法において、より多くの食器類９を収容可能であることが求められており、このため、食器洗い機本体１の外形寸法を変えずに食器かご１０に収容する食器類９の数を増すためには、洗浄槽２内の空いている空間にいかに食器類９を入れるかが問題であった。
【００１０】
本発明は上記従来の課題を解決するもので、洗浄槽内の空いている空間を有効活用できる上棚を簡単な構成で移動可能に支持できるようにし、より多くの食器類を収容可能として使い勝手を向上することを目的としている。
【００１１】
【課題を解決するための手段】
本発明は上記目的を達成するために、食器洗い機本体内に前方に開口部を有する洗浄槽を設け、この洗浄槽内に食器類を収容する食器かごを配置するよう構成し、食器かごは、かご本体と上棚とで構成し、上棚は左右側面に凸部を有する摺動用支持部材を取り付け、洗浄槽の側面に一体に設けた２本の平行な凸部より形成した溝部に摺動用支持部材の凸部を嵌合し、前後に移動可能に構成したものである。
【００１２】
これにより、洗浄槽内の空いている空間を有効活用できる上棚を簡単な構成で移動可能に支持することができ、より多くの食器類を収容可能として使い勝手を向上することができる。
【００１３】
【発明の実施の形態】
本発明の請求項１に記載の発明は、食器洗い機本体内に設け前方に開口部を有する洗浄槽と、前記洗浄槽内に配置し食器類を収容する食器かごとを備え、前記食器かごは、かご本体と上棚とで構成し、前記上棚は左右側面に凸部を有する摺動用支持部材を取り付け、前記洗浄槽の側面に一体に設けた２本の平行な凸部より形成した溝部に、前記摺動用支持部材の凸部を嵌合し、前後に移動可能に構成したものであり、洗浄槽内の空いている空間を有効活用できる上棚を簡単な構成で移動可能に支持することができ、より多くの食器類を収容可能として使い勝手を向上することができる。
【００１４】
請求項２に記載の発明は、上記請求項１に記載の発明において、上棚は、左右側面に取り付けた摺動用支持部材の一部が、洗浄槽の天面奥部に設けた第１の凸部と、前記洗浄槽の天面前縁付近に設けた第２の凸部に当接する範囲にて、移動可能に構成したものであり、上棚の引出し量を容易に規制できるとともに、上棚を洗浄槽内に収容する際に、上棚が洗浄槽の奥面に当接し、洗浄槽の奥面に傷付き等の不具合が発生するのを防止することができる。
【００１５】
請求項３に記載の発明は、上記請求項１または２に記載の発明において、上棚は、前端部を持ち上げることにより取り外し可能となるよう摺動用支持部材を形成したものであり、鍋などの大きな調理器具をかご本体上に設置して洗浄運転を行う際など、上棚を不要と判断した場合に、上棚を容易に取り外すことができる。
【００１６】
請求項４に記載の発明は、上記請求項２または３に記載の発明において、摺動用支持部材は、洗浄槽に嵌合する凸部と前記洗浄槽側面の溝部との掛かり代を、洗浄槽の手前よりも奥側を大きく形成し、上棚を前方へ移動させたときに、前記掛かり代が大きい部分が前記洗浄槽の前縁より前に出ないよう構成したものであり、洗浄槽の側面の溝部に対する掛かり代を最大に取ることで上棚の落下を防止しつつ、上棚を引き出した状態にて、上棚の左右がたつきにより、摺動用支持部材が洗浄槽の前縁に接触するのを防止することができる。
【００１７】
請求項５に記載の発明は、上記請求項１〜４に記載の発明において、摺動用支持部材は、洗浄槽に嵌合する凸部の上面前縁に突起を有し、前記凸部と前記突起を合わせた高さを嵌合する前記洗浄槽の側面の溝幅よりも大きく形成したものであり、作業者が上棚を外した後に、誤って上棚の手前側から洗浄槽に挿入しようとしても、摺動用支持部材の前縁が洗浄槽の側面の溝部に入らないので、上棚の逆方向の挿入を防止することができる。
【００１８】
【実施例】
以下、本発明の一実施例について、図面を参照しながら説明する。なお、従来例と同じ構成のものは同一符号を付して説明を省略する。
【００１９】
図１および図２に示すように、洗浄槽１７は、前方に開口部１８を有し、食器洗い機本体１９内に設けている。この洗浄槽１７内に食器類９を収容する食器かご２０を配置し、食器かご２０は、かご本体２１と上棚２２とで構成している。上棚２２は左右側面に樹脂製の摺動用支持部材２３を取り付け、この摺動用支持部材２３に凸部２４を形成している。
【００２０】
洗浄槽１７は、図３に示すように、側面に２本の平行な凸部２５を一体に設けて溝部２６を形成し、この溝部２６に摺動用支持部材２３の凸部２４を嵌合し、上棚２２を前後に移動可能にしている。
【００２１】
摺動用支持部材２３は、図２および図４に示すように、奥側に突起２７を形成してあり、上棚２２を前後に移動させたとき、この突起２７が洗浄槽１７の天面奥部に設けた第１の凸部２８と洗浄槽１７の天面前縁付近に設けた第２の凸部２９とに当たるようにし、第１の凸部２８と第２の凸部２９にそれぞれ当接する範囲にて、上棚２２を前後に移動可能としている。
【００２２】
ここで、上棚２２を取り外す場合は、図５に示すように、上棚２２の前端部を軽く持ち上げることにより、摺動用支持部材２３奥側の突起２７が、洗浄槽１７の天面前縁付近に設けた第２の凸部２９の下方を通るように突起２７を形成している。
【００２３】
また、摺動用支持部材２３の凸部２４は、図６に示すように、前側凸部２４ａを低くして洗浄槽１７の側面の溝部２６との掛かり代を比較的少なくし、後側凸部２４ｂを高くして洗浄槽１７の側面の溝部２６との掛かり代を比較的多くし、洗浄槽１７の側面の溝部２６との掛かり代を、洗浄槽１７の手前よりも奥側を大きく形成し、上棚を前方へ移動させたときに、掛かり代が大きい部分が洗浄槽１７の前縁より前に出ないよう構成している。
【００２４】
また、摺動用支持部材の凸部２４の上面前縁に突起３０を設け、凸部２４と突起３０を合わせた高さを、洗浄槽１７の側面の溝部２６の幅よりも大きく形成し、外した上棚２２を誤って前後逆に挿入できないように構成している。
【００２５】
上記構成において作用を説明する。上棚２２の左右側面に摺動用支持部材２３を取り付け、この摺動用支持部材２３に凸部２４を形成し、洗浄槽１７の側面に２本の平行な凸部２５を一体に設けて溝部２６を形成し、この溝部２６に摺動用支持部材２３の凸部２４を嵌合し、上棚２２を前後に移動可能にしているので、洗浄槽１７内の空いている空間を有効活用できる上棚２２を簡単な構成で移動可能に支持することができ、より多くの食器類９を収容することができて、使い勝手を向上することができる。
【００２６】
また、摺動用支持部材２３の奥側に突起２７を形成してあり、上棚２２を前後に移動させたとき、この突起２７が洗浄槽１７の天面奥部に設けた第１の凸部２８と洗浄槽１７の天面前縁付近に設けた第２の凸部２９とにそれぞれ当接する範囲にて、上棚２２を前後に移動可能としているので、上棚２２の引出し量を容易に規制できるとともに、上棚２２を洗浄槽１７内に収容する際に、上棚２２が洗浄槽１７の奥面に当接し、洗浄槽１７の奥面に傷付き等の不具合が発生するのを防止することができる。
【００２７】
ここで、上棚２２を取り外す場合は、摺動用支持部材２３奥側の突起２７が洗浄槽１７の天面前縁付近に設けた第２の凸部２９の下方を通るように上棚２２の前端部を軽く持ち上げることにより、上棚２２を簡単に取り外すことができる。
【００２８】
また、摺動用支持部材２３の凸部２４は、前側凸部２４ａを低くして洗浄槽１７の側面の溝部２６との掛かり代を少なくし、後側凸部２４ｂを高くして洗浄槽１７の側面の溝部２６との掛かり代を多くし、上棚を前方へ移動させたときに、掛かり代が大きい部分が洗浄槽１７の前縁より前に出ないよう構成しているので、上棚２２を引き出した状態で、掛かり代が前側凸部２４ａは洗浄槽１７の開口部前縁よりも前へ出るが、掛かり代が多い後側凸部２４ｂは洗浄槽１７の中である。
【００２９】
洗浄槽１７の側面の溝部２６との掛かり代が比較的多い後側凸部２４ｂは、上棚２２に重量物が置かれた場合にも上棚２２が落下の恐れがないようにできる。一方、洗浄槽１７の側面の溝部２６との掛かり代が比較的少ない前側凸部２４ａは、上棚２２が引き出され、かつ作業者により左右に押し付けられた場合においても、洗浄槽１７の開口部前縁に当接することがないようにできる。
【００３０】
また、摺動用支持部材の凸部２４の上面前縁に突起３０を設け、凸部２４と突起３０を合わせた高さを、洗浄槽１７の側面の溝部２６の幅よりも大きく形成し、外した上棚２２を誤って前後逆に挿入できないように構成しているので、上棚２２を外した後に、誤って上棚２２の手前側から洗浄槽１７に挿入しようとしても、摺動用支持部材２３の前縁が洗浄槽１７の側面の溝部２６に入らないので、上棚２２の逆方向の挿入を防止することができる。
【００３１】
このように本実施例によれば、洗浄槽１７の側面に形成した溝部２６に摺動用支持部材２３の凸部２４を嵌合し、上棚２２を前後に移動可能に構成したので、洗浄槽１７内の空いている空間を有効活用できる上棚２２を簡単な構成で移動可能に支持することができ、より多くの食器類９を収容することができて、使い勝手を向上することができる。
【００３２】
また、上棚２２は、左右側面に取り付けた摺動用支持部材２３の突起２７が、洗浄槽１７の天面奥部に設けた第１の凸部２８と、洗浄槽１７の天面前縁付近に設けた第２の凸部２９に当接する範囲にて、移動可能に構成したので、上棚２２の引出し量を容易に規制することができる。
【００３３】
また、上棚は２１、前端部を持ち上げることにより取り外し可能となるよう摺動用支持部材２３を形成したので、鍋などの大きな調理器具をかご本体上に設置して洗浄運転を行う際など、上棚２２を不要と判断した場合に、上棚２２を容易に取り外すことができる。
【００３４】
また、摺動用支持部材２３は、洗浄槽１７に嵌合する凸部２４と洗浄槽１７の側面の溝部２６との掛かり代を、洗浄槽１７の手前よりも奥側を大きく形成し、上棚２２を前方へ移動させたときに、掛かり代が大きい部分が洗浄槽１７の前縁より前に出ないよう構成したので、洗浄槽１７の側面の溝部に対する掛かり代を最大に取ることで上棚２２の落下を防止しつつ、上棚２２を引き出した状態にて、上棚２２の左右がたつきにより、摺動用支持部材２３が洗浄槽１７の前縁に接触するのを防止することができる。
【００３５】
また、摺動用支持部材２３は、洗浄槽１７に嵌合する凸部２４の上面前縁に突起３０を有し、凸部２４と突起３０を合わせた高さを嵌合する洗浄槽１７の側面の溝部２６の幅よりも大きく形成したので、作業者が上棚２２を外した後に、誤って上棚２２の手前側から洗浄槽１７に挿入しようとしても、摺動用支持部材２３の前縁が洗浄槽１７の側面の溝部２６に入らないので、上棚２２の逆方向の挿入を防止することができる。
【００３６】
【発明の効果】
以上のように本発明の請求項１に記載の発明によれば、上棚の左右側面に凸部を有する摺動用支持部材を取り付け、洗浄槽側面に一体に設けた２本の平行な凸部より形成した溝部に摺動用支持部材の凸部を嵌合し、上棚を前後に移動可能なように構成したから、洗浄槽内の空いている空間を有効活用できる上棚を簡単な構成で移動可能に支持することができ、より多くの食器類を収容することができて、使い勝手を向上することができる。特に、洗浄槽側面に一体に設けた２本の平行な凸部より溝部を形成しているので、洗浄槽の機械的強度を高めることができ、べこつきを抑えることができる。
【図面の簡単な説明】
【図１】本発明の一実施例の食器洗い機の断面図
【図２】同食器洗い機の側断面図
【図３】同食器洗い機の要部拡大断面図
【図４】同食器洗い機の上棚を引き出した状態の一部切欠した側断面図
【図５】同食器洗い機の上棚を外す状態の一部切欠した側断面図
【図６】同食器洗い機の要部拡大斜視図
【図７】従来の食器洗い機の側断面図
【符号の説明】
９  食器類
１７  洗浄槽
１８  開口部
１９  食器洗い機本体
２０  食器かご
２１  かご本体
２２  上棚
２３  摺動用支持部材
２４  凸部
２５  凸部
２６  溝部
【図１】
2004321283.tif 000003
【図２】
2004321283.tif 000004
【図３】
2004321283.tif 000005
【図４】
2004321283.tif 000006
【図５】
2004321283.tif 000007
【図６】
2004321283.tif 000008
【図７】
2004321283.tif 000009